(57)【要約】【課題】複数のクラウドストレージ製品を集中して管理可能なマルチアプリケーションクラウドストレージプラットホーム及びクラウドストレージ端末を提出する。【解決手段】クラウドストレージ端末は、複数のクラウドストレージサーバと通信可能なクライアントに接続するためのクライアントインタフェースと、複数のクラウドストレージアプリケーションに対応し、上記複数のクラウドストレージサーバとマッピング関係を有する複数のサブエリアと、ユーザー入力を受信するように配置されるユーザーインタフェースと、上記ユーザー入力に基づいて、上記複数のサブエリアうちの少なくとも一つに対して、第一操作を行うように配置される制御モジュールとを含む。【選択図】図３
2015513377.tif 000002
【特許請求の範囲】
【請求項１】
クラウドストレージに用いられるクライアントプラットホームであって、
ユーザー入力を受信するように配置されるユーザーインタフェースと、
上記クライアントに接続可能な複数のクラウドストレージサーバのそれぞれに対応して関連付ける複数のアプリケーションモジュールと、
上記ユーザー入力に基づいて、上記複数のアプリケーションモジュールうちの少なくとも一つに対して第一操作を行うように配置される制御モジュールとを含むクライアントプラットホーム。
【請求項２】
上記クライアントプラットホームは、クラウドストレージ端末に保存され、上記クラウドストレージ端末がクライアントに接続される場合に運行するように配置される請求項１に記載のクライアントプラットホーム。
【請求項３】
上記第一操作は、上記複数のアプリケーションモジュールうちの少なくとも一つに対してオープン、クローズ、選択、削除或いは更新を行うこと、一つ或いは複数の新しいアプリケーションモジュールを追加することである請求項２に記載のクライアントプラットホーム。
【請求項４】
上記制御モジュールは、上記第一操作が上記複数のアプリケーションモジュールうちの少なくとも一つを選択することである場合に、後続のユーザー入力に基づいて、選択されたアプリケーションモジュールを利用して上記複数のクラウドストレージサーバのうちの対応クラウドストレージサーバに関連付ける第二操作をさらに行うように構築された請求項３に記載のクライアントプラットホーム。
【請求項５】
上記第二操作は、ファイルに対して行う、クラウドストレージに関する操作である請求項４に記載のクライアントプラットホーム。
【請求項６】
請求項１〜５のいずれか一項に記載のクライアントプラットホームを含むクラウドストレージ端末。
【請求項７】
クラウドストレージ端末であって、
複数のクラウドストレージサーバと通信可能なクライアントに接続するためのクライアントインタフェースと、
複数のクラウドストレージアプリケーションに対応し、上記複数のクラウドストレージサーバとマッピング関係を有する複数のサブエリアと、
ユーザー入力を受信するように配置されるユーザーインタフェースと、
上記ユーザー入力に基づいて上記複数のサブエリアのうちの少なくとも一つに対して第一操作を行うように配置される制御モジュールとを含むクラウドストレージ端末。
【請求項８】
上記第一操作は上記複数のサブエリアうちの少なくとも一つに対してオープン、クローズ、選択、削除或いは更新を行うこと、一つ或いは複数の新しいサブエリアを追加することである請求項７に記載のクラウドストレージ端末。
【請求項９】
上記制御モジュールは、上記第一操作が上記複数のサブエリアうちの少なくとも一つを選択することである場合に、後続のユーザー入力に基づいて、選択されたサブエリアに対して上記複数のクラウドストレージサーバのうちの対応クラウドストレージサーバに関連付ける第二操作をさらに行うように配置される請求項８に記載のクラウドストレージ端末。
【請求項１０】
上記第二操作は、ファイルに対して行う、クラウドストレージに関する操作である請求項９に記載のクラウドストレージ端末。
【発明の詳細な説明】
【技術分野】
【０００１】
本願はクラウドストレージに係り、具体的には、複数のクラウドストレージ製品を集中して管理可能なマルチアプリケーションクラウドストレージプラットホーム及びクラウドストレージ端末に関する。
【背景技術】
【０００２】
クラウドストレージという概念が提案されてから、多くのメーカーが関心を寄せている。世界中のデータや情報提供先は、相次いで自分のクラウド関連製品及び解決案を発表している。同時に、消費者は多くのクラウド製品の中から如何に適したクラウド製品を選択するかが分からず、複数のクラウドストレージ製品を集中して管理可能なアプリケーションプラットホームの出現を期待している。
【発明の概要】
【発明が解決しようとする課題】
【０００３】
本願は、複数のクラウドストレージ製品を集中して管理可能なマルチアプリケーションクラウドストレージプラットホーム及びクラウドストレージ端末を提出する。
【課題を解決するための手段】
【０００４】
本願は、一つの観点として、クラウドストレージに用いられるクライアントプラットホームを提供しており、ユーザー入力を受信するように配置されるユーザーインタフェースと、上記クライアントに接続可能な複数のクラウドストレージサーバにそれぞれ対応して関連付ける複数のアプリケーションモジュールと、上記ユーザー入力に基づいて、上記複数のアプリケーションモジュールうちの少なくとも一つに対して第一操作を行うように配置される制御モジュールとを含む。
【０００５】
本願は、別の観点として、クラウドストレージ端末を提供し、複数のクラウドストレージサーバと通信可能なクライアントに接続するためのクライアントインタフェースと、複数のクラウドストレージアプリケーションに対応し、上記複数のクラウドストレージサーバとマッピング関係を有する複数のサブエリアと、ユーザー入力を受信するように配置されるユーザーインタフェースと、上記ユーザー入力に基づいて上記複数のサブエリアうちの少なくとも一つに対して第一操作を行うように配置される制御モジュールとを含む。
【発明の効果】
【０００６】
本願のマルチアプリケーションクラウドストレージプラットホーム及びクラウドストレージ端末によれば、ユーザーが一つのクラウドストレージ端末を有すると、同時に複数のクラウドサービスを享受可能で、各種のクラウドサービスを便利に選択、増加或いは減少することができる。
【図面の簡単な説明】
【０００７】
【図１】本願に基づくクラウドストレージシステムの構成模式ブロック図を示す。
【図２】本願の一つの実施形態に基づくクラウドストレージシステム構成の模式ブロック図を示す。
【図３】本願の他の実施形態に基づくクラウドストレージシステム構成の模式ブロック図を示す。
【発明を実施するための最良の形態】
【０００８】
本願は、2012年3月2日に中国専利局に提出した、出願番号が201210053550.0で、発明の名称が「マルチアプリケーションクラウドストレージプラットホーム及びクラウドストレージ端末」の中国特許出願の優先権を主張し、その全ての内容を本願に援用する。以下、図面に基づき本願の例示的実施形態を参照して、本願の技術的思想について説明する。図1に本願に基づくクラウドストレージシステムの構成模式ブロック図を示す。図1に示すように、本願に基づくクラウドストレージシステム10は、クラウドストレージ端末110、クライアント120、及び複数のクラウドストレージサーバ130a,130b・・・130 nからなるクラウドストレージサーバ群を含む。
【０００９】
クラウドストレージサーバ130は、主にデータ記憶に用いられ、複数のユーザーのファイルデータをクラウドストレージサーバ130に記憶することができる。各クラウドストレージサーバ130は異なるサービスを提供する。例えば、クラウドストレージサーバ群にDropboxサーバ、SugarSyncサーバ、Kanboxサーバ、Kingsoft diskサーバ等を含むことができ、各サーバはそれぞれ異なるインターネットディスクに対応することができる。
【００１０】
クラウドストレージ端末110は、クライアント120と有線又は無線の接続を構築することができ、例えばUSB、eSATA、PC/SC等の有線方式で接続し、またはWIFI、WIMAX等の無線方式で接続する。クラウドストレージ端末110は、各アプリケーションに身分認証機能とアプリケーション記憶機能を提供し、例えば身分認証機能付きのフラッシュメモリ、モバイルハードディスク、SDカード、スマートカード或いは携帯電話等である。
【００１１】
クライアント120は、クライアントソフトウェアを実行することができ、クラウドストレージ端末及びクラウドストレージサーバ群と接続を構築することができるように配置され、例えば、イーサネット、WIMAX等の方式で接続される。クライアント120はクライアントソフトウェアを実行することにより、各種のアプリケーションを集中して管理する。通常、クライアント120は、例えばPCであり、携帯電話、タブレットPC等の携帯端末であってもよい。
【００１２】
本願によれば、以上のシステムに対応する二種の異なる構成でマルチアプリケーション集中管理を実現する機能を提供することができる。以下図2、3を参照し例示的実施形態を結合してこの二種の構成のそれぞれについて説明する。
【００１３】
図2に本願の一つの実施形態に基づき、マルチアプリケーション管理に用いられるクラウドストレージシステム構成の模式的ブロック図を示す。図に示すように、クラウドストレージサーバ群130は複数のクラウドストレージサーバ130a,130b・・・130nを含み、クライアント120で実行されるクライアントソフトウェアに複数のアプリケーション120a,120b・・・120nを集中し、アプリケーションのそれぞれは、対応するサーバに関連付けられる。
【００１４】
クラウドストレージ端末110とクライアント120とが接続された後、クライアントソフトウェアを実行して、各種の利用可能なアプリケーションを表示する。ユーザーは、必要に応じて各種のアプリケーションに対して管理を行うことができ、例えば一つのアプリケーションを選択してファイル管理を行ったり（例えばアップロード或いはダウンロードなど）、一つ或いは複数の既存のアプリケーションを削除したり、一つ或いは複数の新しいアプリケーションを追加したりする。アプリケーションの削除は、ユーザーが必要に応じて行うことができる。
【００１５】
使用しようとするアプリケーションを選択した後、クライアントソフトウェアは、相応するアプリケーションを呼び出して実行してユーザーに各種のサービスを提供することによって、同一のプラットフォームでユーザーに異なるサ-ビスプロバイダの提供した異なるサービス或いは同じサ-ビスプロバイダの提供した異なるサービスを提供することができる。
【００１６】
本実施形態によれば、クラウドストレージに用いられるクライアントプラットホーム（クライアントソフトウェア）を提供し、ユーザー入力を受信するように配置されるユーザーインタフェース（図示せず）と、クライアントに接続可能な複数のクラウドストレージサーバのそれぞれに対応して関連付けられる複数のアプリケーションモジュール120a,120b・・・120nと、ユーザー入力に基づいて、複数のアプリケーションモジュールうちの少なくとも一つに対して、例えば選択、追加、削除或いは更新の第一操作を行うように配置される制御モジュール（図示せず）とを含む。ユーザーは、さらに、クライアントソフトウェアをアップデートすることにより、その中のアプリケーションを増加、減少或いは更新することができる。
【００１７】
第一操作が複数のアプリケーションモジュールうちの少なくとも一つを選択する操作である場合、制御モジュールは、さらに、後続のユーザー入力に基づいて、選択したアプリケーションモジュールをアクティブにし、当該アプリケーションモジュールを介して複数のクラウドストレージサーバのうちの対応クラウドストレージサーバに関連付ける第二操作を行うように動作する。第二操作はファイルに対して行ったクラウドストレージに関連付ける操作であってもよく、例えば、ファイルを対応するクラウドストレージサーバにアップロードしたり、対応するクラウドストレージサーバからファイルをダウンロードしたりすることである。
【００１８】
本願によれば、該クライアントプラットホームは、クラウドストレージ端末或いはクライアントに保存することができる。
【００１９】
明らかにするために、図2にクライアントプラットホームをクライアントに保存することを示したが、該クライアントプラットホームはクラウドストレージ端末に保存することが好ましい。この場合、該クライアントプラットホームはクラウドストレージ端末とクライアントとが接続された場合のみに実行することにより、データの安全性が保証される。よって、本願は、さらに上記クライアントプラットホームを含むクラウドストレージ端末を提供する。
【００２０】
一つの方法として、クライアントソフトウェアはネットワークサーバに保存されてもよく、ネットワークを介してアップデートされる。クライアントソフトウェアがクライアントにダウンロードされてから実行されることにより、相応の機能が実現できる。
【００２１】
図3に本願の他の実施形態に基づくクラウドストレージシステム構成の模式ブロック図を示す。本実施形態によれば、クラウドストレージ端末110は、サーバの提供した各サービスに独立の記憶空間を提供することによりマルチアプリケーションの集中管理を実現する。例えば、クラウドストレージ端末110で複数のサブエリアに区分したり、複数のフォルダを構築したりすることにより、それぞれ、複数の異なるアプリケーションに対応する（例えば、複数の異なるインターネットディスクに対応する）。複数のサブエリア或いはフォルダは複数のアプリケーションに対応する複数のクラウドストレージサーバとマッピング関係を有する。
【００２２】
クラウドストレージ端末がクライアントにアクセスする際に、クライアントに複数のサブエリア或いはフォルダに対応する複数のディスクシンボル或いは複数のフォルダを表示する。ユーザーが、あるサブエリア或いはフォルダを操作する際に、クラウドストレージ端末はユーザー操作を解析して、ユーザーがどのようなサービスを取得しようとするかを特定するとともに、相応のサーバと接続を構築することにより、インタラクティブを行う。この場合、複数の異なるクラウドストレージサーバにより呼び出されるように、クライアントは、統一のAPIインタフェースを提供すればよく、異なるクラウドストレージサーバは、クライアントの提供したAPIインタフェースにより、それに対応するサブエリア或いはフォルダにアクセスする。
【００２３】
本実施形態の提供するクラウドストレージ端末は、複数のクラウドストレージサーバと通信可能なクライアントに接続するためのクライアントインタフェースと、複数のクラウドストレージアプリケーションに対応し、複数のクラウドストレージサーバとマッピング関係を有する複数のサブエリアと、ユーザー入力を受信するように配置されるユーザーインタフェースと、ユーザー入力に基づいて複数のサブエリアうちの少なくとも一つに対して第一操作を行うように配置される制御モジュールとを含む。第一操作は例えば複数のサブエリアうちの少なくとも一つに対してオープン、クローズ、選択、追加、削除或いは更新を行うことができる。
【００２４】
第一操作は複数のサブエリアうちの少なくとも一つを選択することである場合、制御モジュールは、さらに、後続のユーザー入力に基づいて、選択されたサブエリアに対して複数のクラウドストレージサーバのうちの対応クラウドストレージサーバと関連付ける第二操作を行うように配置される。第二操作はファイルに対して行うクラウドストレージに関付ける操作、例えば、ファイルを対応するクラウドストレージサーバにアップロードしたり、対応するクラウドストレージサーバからダウンロードしたり、ファイルを削除或いは更新したりすることであってもよい。
【００２５】
本実施形態によれば、複数のクラウドストレージサーバは、提供された統一のAPIインタフェースを介してクライアント及びクラウドストレージ端末と接続を構築する。アプリケーションを増加する必要がある場合、クラウドストレージ端末は新しいアプリケーションに独立の記憶空間を提供し、例えば一つの専有サブエリアを増加したり、一つの専有フォルダを新しく構築したりしてから、クラウドストレージ端末或いはクライアントソフトウェアによりこの独立の記憶空間と新しいクラウドストレージサーバにマッピング関係を構築することができる。このように、ユーザーがこのサブエリア或いはフォルダを操作する際に、クラウドストレージ端末は相応するサーバに接続されることができる。
【００２６】
既存のサービスに対して、ユーザーは配置を行うにより、あるサービスをオープン或いはクローズするように選択できる。例えば、クラウドストレージ端末に既に三つのサブエリアがあり、それぞれ、Kanbox disk、Kingsoft disk、Netac diskに対応するが、ユーザーはNetac diskのみを使用しようとする場合、配置を行うことにより、Kanbox disk、Kingsoft diskのサービスをクローズすることを選択し、配置が効力を発生した後、クラウドストレージ端末でNetacdiskに対応するサブエリアのみをユーザーに提供する。このように、ユーザー操作は簡単明瞭になり、ミスの発生が起こりにくくなる。
【００２７】
以上図面を参照し具体的実施形態を結合して本願に対して記述した。理解すべきなのは、上記実施形態は例示的であり、本願を限定しない。当業者は本願の思想及び範囲を超えることなく、上記実施形態に対して適切な変形と修正を行うことができる。
【図１】
2015513377.tif 000003
【図２】
2015513377.tif 000004
【図３】
2015513377.tif 000005
【国際調査報告】
2015513377.tif 000006
2015513377.tif 000007
2015513377.tif 000008
2015513377.tif 000009